(57)【特許請求の範囲】
【請求項１】
成形された一本のグリーンタイヤ(Wa)を入庫用パレット(18)上に、一方の側面を当接させて横向きにした状態で載置し、このグリーンタイヤ(Wa)の空洞内部に、離型剤塗布装置(10)の回転駆動かつ昇降可能な回転軸(17)の先端部に取付られたスプレーガン(15)を挿入し、前記グリーンタイヤ(Wa)の内周面に、前記回転軸(17)を中心にして取付けられたスプレーガン(15)を旋回させながら離型剤(Qa)を塗布するグリーンタイヤへの離型剤塗布方法において、
前記スプレーガン(15)を一定方向に旋回させながら離型剤(Qa)をグリーンタイヤ(Wa)の内周面に塗布する際、前記回転軸(17)の上部に設けた有底円筒状のホース収容ケース(20)の底面中央から突出する回転軸(17)の上端部に、該回転軸(17)の上端部に接続された長尺状の離型剤供給ホース(19)を所定回数巻付けながら塗布すると共に、前記ホース収容ケース(20)の底面上に渦巻き状に収容し、前記離型剤(Qa)の塗布完了後、次の離型剤(Qa)を塗布する迄の間に前記回転軸(17)に取り付けられたスプレーガン(15)を前記一定方向とは逆方向に旋回させると共に、前記離型剤供給ホース(19)を回転軸(17)の上端部からホース収容ケース(20)の底面上に緩めた状態で巻出して収容することを特徴とするグリーンタイヤへの離型剤塗布方法。
【請求項２】
タイヤ成形工程と加硫工程とを中間ストレージを介在させて連結し、該中間ストレージの入庫用パレット(18)に固定した状態で載置したグリーンタイヤ(Wa)の内周面に対して離型剤(Qa)をスプレーガン(15)により塗布する請求項１に記載のグリーンタイヤへの離型剤塗布方法。
【請求項３】
タイヤ成形工程と加硫工程との間に介在させた中間ストレージの水平な入庫用パレット(18)上に、一本のグリーンタイヤ(Wa)の一方の側面を当接させて横向きにした状態で載置し、該グリーンタイヤ(Wa)の空洞内部に回転軸(17)を中心に回転可能に取付けられたスプレーガン(15)を挿入すると共に、このスプレーガン(15)によりグリーンタイヤ(Wa)の内周面に離型剤(Qa)を塗布するグリーンタイヤへの離型剤塗布装置であって、
前記回転軸(17)の上端部に、該回転軸(17)の上端部が底面中央部を貫通して突出するように有底円筒状のホース収容ケース(20)を設置し、前記スプレーガン(15)を取付けた回転軸(17)の上端部側面に、長尺状の離型剤供給ホース(19)を接続させると共に、該離型剤供給ホース(19)をスプレーガン(15)に接続させ、前記離型剤供給ホース(19)は、離型剤(Qa)をグリーンタイヤ(Wa)への塗布時には、前記ホース収容ケース(20)の底面中央部を貫通した回転軸(17)の上端部に巻付けられてホース収容ケース(20)の底面上に渦巻き状に収容され、離型剤塗布完了後には、前記離型剤供給ホース(19)を回転軸(17)の上端部から巻出して有底円筒状のホース収容ケース(20)の底面上に緩めた状態で収容するように構成したことを特徴とするグリーンタイヤへの離型剤塗布装置。
【請求項４】
前記離型剤塗布装置(10)のスプレーガン(15)は、旋回，かつ昇降可能に取付けられたアーム(13)の先端に回転軸(17)を中心に回転可能に取り付けられ、この回転軸(17)は回転駆動モータ(16)により回転駆動し、前記スプレーガン(15)を取付た回転軸(17)の上端部は、有底円筒状のホース収容ケース(20)の底面中央から突出させると共に、その回転軸(17)の上端部側面に長尺状の離型剤供給ホース(19)を接続した請求項３に記載のグリーンタイヤへの離型剤塗布装置。
【発明の詳細な説明】
【技術分野】
【０００１】
この発明は、グリーンタイヤへの離型剤塗布方法及びその装置に係わり、更に詳しくは成形されたグリーンタイヤの内周面が、加硫成形時にブラダーに貼付かず、離型性を良くするために離型剤を塗布する離型剤塗布方法及びその装置に関するものである。
【背景技術】
【０００２】
従来、成形されたグリーンタイヤ（未加硫タイヤ）の内周面または外周面に、加硫成形時にブラダーやモールドに貼付かず、離型性を良くするために離型剤を離型剤塗布装置のスプレーガン等を使用して塗布することが知られている（例えば、特許文献１参照）。
【０００３】
ところで、大ロットライン等における離型剤の塗布装置は、離型剤塗布装置のスプレーガンを固定し、グリーンタイヤを旋回させて塗布する方法が一般的であるが、グリーンタイヤを旋回してしまうと、例えば、タイヤ成形工程と加硫工程とを中間ストレージを介して直結する生産方式の場合、グリーンタイヤと加硫工程でのモールドとの位相合わせが難しくなり、完成タイヤでの品質向上を図ることが出来ないと言う問題があった。
【０００４】
また、離型剤塗布装置のスプレーガンを固定し、グリーンタイヤを旋回させて塗布する方法において、グリーンタイヤの位相変化を無くすためには、回転位置検出装置等を設置する必要があるが、設備費用が高くなると言う問題がある。
【０００５】
一方、図６に示すように、グリーンタイヤＷをパレット１等に載置すると共に固定し、離型剤塗布装置２のスプレーガン３を旋回させる方法では、スプレーガン３の回転軸４と複数本の離型剤供給ホース５との接続部にロータリーシール６を使用しているが、離型剤Ｑの成分中には、研磨材となり得る性質の物質が含まれている場合があり、この物質が含まれていると、回転シール部分６ａの摩耗が発生し、短期間に故障してしまうと言う問題があった。
【０００６】
なお、５ａは離型剤供給ホース５における離型剤供給口、５ｂは開閉弁操作エアー供給口、５ｃは吹き付けエアー供給口を示している。
【０００７】
また、上述したようにタイヤ成形工程と加硫工程とを中間ストレージを介して直結する生産方式の場合、上記のような原因で離型剤塗布装置が故障すると、中間ストレージにグリーンタイヤの入庫が出来なくなるため、必然的にタイヤ成形機の稼働が出来なくなり、成形機の生産量を大幅に低下させる原因となる。
【特許文献１】特開平７−１９５００２号公報（第２〜第３頁、図１）
【発明の開示】
【発明が解決しようとする課題】
【０００８】
この発明はかかる従来の問題点に着目し、離型剤塗布装置のスプレーガンの旋回方式として、ロータリーシールを使用することなく、簡単な機構により旋回出来るように構成することで、離型剤塗布装置の故障を未然に防止し、タイヤの生産性の向上を図ることが出来ると共に、完成タイヤのユニフォミティーを良好なものとすることが出来るグリーンタイヤへの離型剤塗布方法及びその装置を提供することを目的とするものである。
【課題を解決するための手段】
【０００９】
この発明は上記目的を達成するため、この発明のグリーンタイヤへの離型剤塗布方法は、スプレーガン(15)を一定方向に旋回させながら離型剤(Qa)をグリーンタイヤ(Wa)の内周面に塗布する際、前記回転軸(17)の上部に設けた有底円筒状のホース収容ケース(20)の底面中央から突出する回転軸(17)の上端部に、該回転軸(17)の上端部に接続された長尺状の離型剤供給ホース(19)を所定回数巻付けながら塗布すると共に、前記ホース収容ケース(20)の底面上に渦巻き状に収容し、前記離型剤(Qa)の塗布完了後、次の離型剤(Qa)を塗布する迄の間に前記回転軸(17)に取り付けられたスプレーガン(15)を前記一定方向とは逆方向に旋回させると共に、前記離型剤供給ホース(19)を回転軸(17)の上端部からホース収容ケース(20)の底面上に緩めた状態で巻出して収容することを要旨とするものである。
【００１０】
ここで、タイヤ成形工程と加硫工程とを中間ストレージを介在させて連結し、該中間ストレージの入庫用パレット(18)に固定した状態で載置したグリーンタイヤ(Wa)の内周面に対して離型剤(Qa)をスプレーガン(15)により塗布する。
【００１１】
このように、離型剤塗布装置のスプレーガンの旋回方式として、従来のようなロータリーシールを使用することなく、簡単な機構により旋回出来るように構成することで、離型剤塗布装置の故障を未然に防止し、タイヤの生産性の向上を図ることが出来る。
【００１２】
また、この発明のグリーンタイヤへの離型剤塗布装置は、タイヤ成形工程と加硫工程との間に介在させた中間ストレージの水平な入庫用パレット(18)上に、一本のグリーンタイヤ(Wa)の一方の側面を当接させて横向きにした状態で載置し、該グリーンタイヤ(Wa)の空洞内部に回転軸(17)を中心に回転可能に取付けられたスプレーガン(15)を挿入すると共に、このスプレーガン(15)によりグリーンタイヤ(Wa)の内周面に離型剤(Qa)を塗布するグリーンタイヤへの離型剤塗布装置であって、前記回転軸(17)の上端部に、該回転軸(17)の上端部が底面中央部を貫通して突出するように有底円筒状のホース収容ケース(20)を設置し、前記スプレーガン(15)を取付けた回転軸(17)の上端部側面に、長尺状の離型剤供給ホース(19)を接続させると共に、該離型剤供給ホース(19)をスプレーガン(15)に接続させ、前記離型剤供給ホース(19)は、離型剤(Qa)をグリーンタイヤ(Wa)への塗布時には、前記ホース収容ケース(20)の底面中央部を貫通した回転軸(17)の上端部に巻付けられてホース収容ケース(20)の底面上に渦巻き状に収容され、離型剤塗布完了後には、前記離型剤供給ホース(19)を回転軸(17)の上端部から巻出して有底円筒状のホース収容ケース(20)の底面上に緩めた状態で収容するように構成したことを要旨とするものである。
【００１３】
ここで、離型剤塗布装置(10)のスプレーガン(15)は、旋回，かつ昇降可能に取付けられたアーム(13)の先端に回転軸(17)を中心に回転可能に取り付けられ、この回転軸(17)は回転駆動モータ(16)により回転駆動し、前記スプレーガン(15)を取付た回転軸(17)の上端部は、有底円筒状のホース収容ケース(20)の底面中央から突出させると共に、その回転軸(17)の上端部側面に長尺状の離型剤供給ホース(19)を接続して構成する。
【００１４】
このように、離型剤塗布装置のスプレーガンの旋回方式として、スプレーガンに、長尺状の離型剤供給ホースを接続し、この離型剤供給ホースは、離型剤をグリーンタイヤへの塗布時には、スプレーガンの巻取り軸に巻付け、離型剤塗布完了後には、ホース収容ケースから巻出すように構成したことで、離型剤塗布装置の故障が少なく、タイヤの生産性を向上させることが出来ると共に、完成タイヤのユニフォミティーを良好なものとすることが出来、また構成が簡単であるため、安価な設備で行うことが出来る。
【発明の効果】
【００１５】
この発明は、上記のようにグリーンタイヤへの離型剤塗布方法は、スプレーガン(15)を一定方向に旋回させながら離型剤(Qa)をグリーンタイヤ(Wa)の内周面に塗布する際、前記回転軸(17)の上部に設けた有底円筒状のホース収容ケース(20)の底面中央から突出する回転軸(17)の上端部に、該回転軸(17)の上端部に接続された長尺状の離型剤供給ホース(19)を所定回数巻付けながら塗布すると共に、前記ホース収容ケース(20)の底面上に渦巻き状に収容し、前記離型剤(Qa)の塗布完了後、次の離型剤(Qa)を塗布する迄の間に前記回転軸(17)に取り付けられたスプレーガン(15)を前記一定方向とは逆方向に旋回させると共に、前記離型剤供給ホース(19)を回転軸(17)の上端部からホース収容ケース(20)の底面上に緩めた状態で巻出して収容するようにしたので、従来のようなロータリーシールを使用することなく、簡単な機構により旋回出来るように構成することで、離型剤塗布装置の故障を未然に防止し、タイヤの生産性の向上を図ることが出来、また完成タイヤのユニフォミティーを良好なものとすることが出来る効果がある。
【００１６】
また、この発明のグリーンタイヤへの離型剤塗布装置は、タイヤ成形工程と加硫工程との間に介在させた中間ストレージの水平な入庫用パレット(18)上に、一本のグリーンタイヤ(Wa)の一方の側面を当接させて横向きにした状態で載置し、該グリーンタイヤ(Wa)の空洞内部に回転軸(17)を中心に回転可能に取付けられたスプレーガン(15)を挿入すると共に、このスプレーガン(15)によりグリーンタイヤ(Wa)の内周面に離型剤(Qa)を塗布するグリーンタイヤへの離型剤塗布装置であって、前記回転軸(17)の上端部に、該回転軸(17)の上端部が底面中央部を貫通して突出するように有底円筒状のホース収容ケース(20)を設置し、前記スプレーガン(15)を取付けた回転軸(17)の上端部側面に、長尺状の離型剤供給ホース(19)を接続させると共に、該離型剤供給ホース(19)をスプレーガン(15)に接続させ、前記離型剤供給ホース(19)は、離型剤(Qa)をグリーンタイヤ(Wa)への塗布時には、前記ホース収容ケース(20)の底面中央部を貫通した回転軸(17)の上端部に巻付けられてホース収容ケース(20)の底面上に渦巻き状に収容され、離型剤塗布完了後には、前記離型剤供給ホース(19)を回転軸(17)の上端部から巻出して有底円筒状のホース収容ケース(20)の底面上に緩めた状態で収容するように構成したので、離型剤塗布装置の故障が少なく、タイヤの生産性を向上させることが出来ると共に、完成タイヤのユニフォミティーを良好なものとすることが出来、また構成が簡単であるため、安価な設備で行うことが出来る効果がある。
【発明を実施するための最良の形態】
【００１７】
以下、添付図面に基づき、この発明の実施形態を説明する。
【００１８】
図１は、この発明を実施したグリーンタイヤへの離型剤塗布方法を実施するための離型剤塗布装置の一部切欠した概略正面図、図２は図１の平面図を示し、この発明の離型剤塗布装置は、図示しないタイヤ成形工程と加硫工程とを中間ストレージを介して直結する方式において、中間ストレージの近傍に設置されるものである。
【００１９】
前記離型剤塗布装置１０は、支柱１１に昇降シリンダー１２を介して昇降可能に支持されたアーム１３が揺動シリンダー１４を介して旋回可能に取付けられ、アーム１３の先端には、スプレーガン１５が取付けられ、このスプレーガン１５は、前記アーム１３上に設置された回転駆動モータ１６により回転駆動する回転軸１７を中心に回転可能に取付けられている。
【００２０】
なお、Ｗａは中間ストレージの入庫用パレット１８に載置されたグリーンタイヤを示している。
【００２１】
前記スプレーガン１５を取付けた回転軸１７の上端側面には、長尺状の離型剤供給ホース１９が接続され、この離型剤供給ホース１９は、離型剤ＱａをグリーンタイヤＷａへの塗布時には、図５に示すようにスプレーガン(15)を一定方向に旋回させながら回転軸１７の上部に設けた有底円筒状のホース収容ケース２０の底面中央から突出する回転軸１７の上端部に複数回転数だけ巻付けると共に、ホース収容ケース２０の底面上に渦巻き状に収容し、離型剤塗布完了後には、図４に示すように、次の離型剤(Qa)を塗布する迄の間に前記回転軸１７に取り付けられたスプレーガン１５を前記一定方向とは逆方向に旋回させると共に、記離型剤供給ホース１９を回転軸１７の上端部から巻出して有底円筒状のホース収容ケース(20)の底面上に緩めた状態で収容するように構成されている。
【００２２】
次に、上記のような離型剤塗布装置１０により、グリーンタイヤＷへの離型剤Ｑａの塗布方法について説明する。
【００２３】
この発明の実施形態では、図示しないタイヤ成形工程と加硫工程とを中間ストレージを介して直結する方式の生産方式において、前記中間ストレージの入庫用パレット１８上に固定した状態のグリーンタイヤＷａの内周面（この実施形態では内周面の塗布方法について説明するが、外周面も同じであるので説明は省略する）に対して離型剤Ｑａを塗布する場合について説明する。
【００２４】
先ず、タイヤ成形工程から中間ストレージの近傍の入庫用パレット１８上にグリーンタイヤＷａが載置されると、待機位置に待機していた離型剤塗布装置１０のアーム１３は，揺動シリンダー１４により塗布位置まで揺動し、離型剤塗布装置１０のスプレーガン１５が、昇降シリンダー１２を介してアーム１３により所定位置まで下降する。
【００２５】
このような状態から、回転駆動モータ１６により回転駆動する回転軸１７を介してスプレーガン１５をグリーンタイヤＷａ内で回転させると共に、図４に示すようにグリーンタイヤＷａの内周面に離型剤Ｑａの塗布を開始する。            この際、スプレーガン１５の回転軸１７に接続された長尺状の離型剤供給ホース１９は、図４の状態から図５のように、回転軸１７に所定回数（３〜５回転程度）巻付けながら塗布する。そして、離型剤Ｑａの塗布完了後は、スプレーガン１５の回転を停止し、前記昇降シリンダー１２によりグリーンタイヤＷａの内部からスプレーガン１５を待機位置まで垂直方向に上昇させ、更に次の離型剤Ｑａを塗布する迄の間に前記スプレーガン１５を回転駆動モータ１６により逆方向に旋回させて、前記離型剤供給ホース１９をホース収容ケース２０内に巻出して収容する。
【００２６】
そして、再び新たなグリーンタイヤＷａに対して離型剤Ｑａを塗布する時には、上記と同様な操作を繰返し行うものである。
【００２７】
このように、離型剤塗布装置１０のスプレーガンの旋回方式として、従来のようなロータリーシールを使用することなく、長尺状の離型剤供給ホース１９の巻取り、巻出しにおける簡単な機構により旋回出来るように構成することで、離型剤塗布装置１０の故障を未然に防止し、タイヤの生産性の向上を図ることが出来るものである。
【図面の簡単な説明】
【００２８】
【図１】この発明を実施したグリーンタイヤへの離型剤塗布方法を実施するための離型剤塗布装置の一部切欠した概略正面図である。
【図２】図１の平面図である。
【図３】この発明のスプレーガンの一部切欠した拡大正面図である。
【図４】離型剤の吹き付け前の離型剤供給ホースの巻付け状態を示す説明図である。
【図５】離型剤の塗布完了時の離型剤供給ホースの巻付け状態を示す説明図である。
【図６】従来のスプレーガンの一部切欠した拡大正面図である。
【符号の説明】
【００２９】
１  パレット                  ２  離型剤塗布装置
３  スプレーガン              ４  回転軸
５  離型剤供給ホース          ６  ロータリーシール
５ａ  離型剤供給口            ５ｂ  開閉弁操作エアー供給口
５ｃ  吹き付けエアー供給口    ６ａ  回転シール部分
Ｑ  離型剤                    Ｗ  グリーンタイヤ
１０  離型剤塗布装置          １１  支柱
１２  昇降シリンダー          １３  アーム
１４  揺動シリンダー          １５  スプレーガン
１６  回転駆動モータ          １７  回転軸
１８  中間ストレージの入庫用パレット
１９  離型剤供給ホース        ２０  ホース収容ケース
Ｑａ  離型剤                  Ｗａ  グリーンタイヤ
【図１】
0004453309.tif 000002
【図２】
0004453309.tif 000003
【図３】
0004453309.tif 000004
【図４】
0004453309.tif 000005
【図５】
0004453309.tif 000006
【図６】
0004453309.tif 000007